(57)【要約】【課題】壁面にアンカー穴を穿孔する際に生じる切り粉による断熱パネル等の面段差の発生を防止する。【解決手段】断熱パネル１０は、裏面が断熱ボード１１よりなり、前面が表面板１２よりなる。この断熱ボード１１の裏面と断熱ボード１１の上側の木端面との交叉部に、凹陥部１４が設けられている。上段側の断熱パネル１０の背面を既存壁２１の壁面に当て、ドリルで穿孔する場合、生じた切り粉Ｐは断熱パネル１０の木端面に設けられた凹陥部１４に収容される。このため、上段側の断熱パネル１０が前方に押されることがなく、上下の断熱パネル１０同士で面段差が発生しないようになる。【選択図】図２
2006037463.tif 000002
【特許請求の範囲】
【請求項１】
断熱ボードと、該断熱ボードの一方の面に設けられた表面板とを有する断熱パネルにおいて、
該断熱ボードの他方の面と該断熱パネルの少なくとも１つの木端面との交叉部に、粉粒物を収容しうる凹陥部が設けられていることを特徴とする断熱パネル。
【請求項２】
請求項１において、該凹陥部は該断熱パネルの略全周にわたって設けられていることを特徴とする断熱パネル。
【請求項３】
断熱パネルが壁面にネジ留めされている断熱パネル取付構造において、該断熱パネルは請求項１又は２に記載の断熱パネルであり、
該壁面にアンカー穴が穿設され、該断熱パネルに貫通孔が設けられ、前記ネジが該貫通孔を通り該アンカー穴に螺着されていることを特徴とする断熱パネル取付構造。
【請求項４】
断熱パネルを壁面にネジ留めする断熱パネル取付工法において、
該断熱パネルは請求項１又は２に記載の断熱パネルであり、
前記凹陥部が断熱パネルの上側又は下側となるようにして該断熱パネルの断熱ボードを壁面に当て、該断熱パネルから該壁面にわたってドリルによって穿孔することにより該断熱パネルに貫通孔を設けると共に該壁面にアンカー穴を設け、
該貫通孔を通してネジを該アンカー穴に螺じ込むことを特徴とする断熱パネル取付工法。
【請求項５】
請求項４において、断熱パネルを上下に複数段取り付ける断熱パネル取付工法であって、
下段側の断熱パネルを先に取付施工し、
その後、上段側の断熱パネルを下段側の断熱パネルの上側の木端面上に当接させて取付施工することを特徴とする断熱パネル取付工法。
【請求項６】
断熱ボードが壁面にネジ留めされている断熱ボード取付構造において、
該壁面にアンカー穴が穿設され、該断熱ボードに貫通孔が設けられ、前記ネジが該貫通孔を通り該アンカー穴に螺着されており、
該断熱ボードの壁面への対峙面と上側又は下側の木端面との交叉部に、該アンカー穴を穿設する際に発生する切り粉を収容するための凹陥部が設けられていることを特徴とする断熱ボード取付構造。
【請求項７】
断熱ボードを壁面にネジ留めする断熱ボード取付工法において、
該断熱ボードは、壁面への対峙面と上側の木端面との交叉部に、ドリル穿孔時に発生する切り粉を収容する凹陥部を有しており、
該断熱ボードを壁面に当て、該断熱ボードから該壁面にわたってドリルによって穿孔することにより該断熱ボードに貫通孔を設けると共に該壁面にアンカー穴を設け、
該貫通孔を通してネジを該アンカー穴に螺じ込む工法であって、
該断熱ボードを上下に複数段取り付けるに際し、下段側の断熱ボードを先に取付施工し、
その後、上段側の断熱ボードを下段側の断熱ボードの上側の木端面上に当接させて取付施工することを特徴とする断熱ボード取付工法。
【発明の詳細な説明】
【技術分野】
【０００１】
本発明は、断熱パネルとその取付構造及び工法、並びに、断熱ボードの取付構造及び工法に関するものである。
【背景技術】
【０００２】
建物の外壁に発泡樹脂ボードを取り付け、この発泡樹脂ボードの外面に外装仕上げを施す外断熱工法が知られている。
【０００３】
特開２００２−１６１６２７号公報には、発泡樹脂ボードの前面にＧＲＣパネルを取り付けてなる断熱パネルを建物外面にアンカーボルトで留め付け、このＧＲＣパネルに対しタイル張りした施工構造が記載されている。
【０００４】
上記の発泡樹脂ボードや断熱パネルを建物のコンクリート壁面にアンカーボルトで留め付けるには、発泡樹脂ボード等を壁面に当接し、該発泡樹脂ボード等を通してドリルで穿孔する。これにより、発泡樹脂ボード等に貫通孔が穿孔され、壁面にはアンカー穴が穿孔される。この貫通孔とアンカー穴とは同軸状となっている。その後、該貫通孔を通してアンカー穴にアンカーボルトを打ち込み、発泡樹脂ボード等を壁面に固定する。
【０００５】
第６図は、このようにして発泡樹脂ボードを壁面に取り付ける作業工程のうちドリルによる穿孔作業を示す縦断面図である。
【０００６】
コンクリート壁１に対し下段側の発泡樹脂ボード２がアンカーボルト３によって取り付けられている。このアンカーボルト３は、発泡樹脂ボード２に穿孔された貫通孔４を通ってアンカー５に螺じ込まれている。アンカー５は、壁面１に穿設されたアンカー穴６に打ち込まれている。
【０００７】
この発泡樹脂ボード２の上に上段側の発泡樹脂ボード２（２Ａ）が配置され、これから取り付けられようとしている。この発泡樹脂ボード２Ａは第１の作業員によって手でコンクリート壁１に押し付けられている。発泡樹脂ボード２Ａの下端面は下段側発泡樹脂ボード２の上端面に隙間なくピッタリと当てられている。
【０００８】
第２の作業員がドリル７を操作し、ドリルビット８によって貫通孔４及びアンカー穴６を穿孔している。
【０００９】
この穿孔作業後に、アンカーボルトを打ち込んで発泡樹脂ボード２Ａをコンクリート壁１に固定し、さらにその上段側に発泡樹脂ボード２を同様にして取り付ける。
【特許文献１】特開２００２−１６１６２７号公報
【発明の開示】
【発明が解決しようとする課題】
【００１０】
ドリル７によってアンカー穴６を穿孔すると、第７図の如く、切り粉Ｐが発泡樹脂ボード２Ａとコンクリート壁１との間を通って下段側の発泡樹脂ボード２の上端面の上に溜り、上段側の発泡樹脂ボード２Ａが前方に押され、上下の発泡樹脂ボード２Ａ，２間に面段差が生じる。
【００１１】
本発明は、かかる切り粉による断熱パネル等の面段差の発生を防止することを目的とする。
【課題を解決するための手段】
【００１２】
請求項１の断熱パネルは、断熱ボードと、該断熱ボードの一方の面に設けられた表面板とを有する断熱パネルにおいて、該断熱ボードの他方の面と該断熱パネルの少なくとも１つの木端面との交叉部に、粉粒物を収容しうる凹陥部が設けられていることを特徴とするものである。
【００１３】
請求項２の断熱パネルは、請求項１において、該凹陥部は該断熱パネルの略全周にわたって設けられていることを特徴とするものである。
【００１４】
請求項３の断熱パネル取付構造は、断熱パネルが壁面にネジ留めされている断熱パネル取付構造において、該断熱パネルは請求項１又は２に記載の断熱パネルであり、該壁面にアンカー穴が穿設され、該断熱パネルに貫通孔が設けられ、前記ネジが該貫通孔を通り該アンカー穴に螺着されていることを特徴とするものである。
【００１５】
請求項４の断熱パネル取付工法は、断熱パネルを壁面にネジ留めする断熱パネル取付工法において、該断熱パネルは請求項１又は２に記載の断熱パネルであり、前記凹陥部が断熱パネルの上側又は下側となるようにして該断熱パネルの断熱ボードを壁面に当て、該断熱パネルから該壁面にわたってドリルによって穿孔することにより該断熱パネルに貫通孔を設けると共に該壁面にアンカー穴を設け、該貫通孔を通してネジを該アンカー穴に螺じ込むことを特徴とするものである。
【００１６】
請求項５の断熱パネル取付工法は、請求項４において、断熱パネルを上下に複数段取り付ける断熱パネル取付工法であって、下段側の断熱パネルを先に取付施工し、その後、上段側の断熱パネルを下段側の断熱パネルの上側の木端面上に当接させて取付施工することを特徴とするものである。
【００１７】
請求項６の断熱ボード取付構造は、断熱ボードが壁面にネジ留めされている断熱ボード取付構造において、該壁面にアンカー穴が穿設され、該断熱ボードに貫通孔が設けられ、前記ネジが該貫通孔を通り該アンカー穴に螺着されており、該断熱ボードの壁面への対峙面と上側又は下側の木端面との交叉部に、該アンカー穴を穿設する際に発生する切り粉を収容するための凹陥部が設けられていることを特徴とするものである。
【００１８】
請求項７の断熱ボード取付工法は、  断熱ボードを壁面にネジ留めする断熱ボード取付工法において、該断熱ボードは、壁面への対峙面と上側の木端面との交叉部に、ドリル穿孔時に発生する切り粉を収容する凹陥部を有しており、該断熱ボードを壁面に当て、該断熱ボードから該壁面にわたってドリルによって穿孔することにより該断熱ボードに貫通孔を設けると共に該壁面にアンカー穴を設け、該貫通孔を通してネジを該アンカー穴に螺じ込む工法であって、該断熱ボードを上下に複数段取り付けるに際し、下段側の断熱ボードを先に取付施工し、その後、上段側の断熱ボードを下段側の断熱ボードの上側の木端面上に当接させて取付施工することを特徴とするものである。
【発明の効果】
【００１９】
請求項１又は２の断熱パネルと、この断熱パネルを壁面に取り付ける請求項３の取付構造及び請求項４，５の取付工法にあっては、断熱パネルの背面を壁面に当て、ドリルで穿孔する場合、生じた切り粉は当該断熱パネルにおける下向きの木端面又は当該断熱パネルの下段側の断熱パネルにおける上向きの木端面に設けられた凹陥部に収容されるため、穿孔している断熱パネルが前方に押されることがなく、壁面に取付施工された上下の断熱パネル同士で面段差が発生しないようになる。
【００２０】
請求項２の断熱パネルにあっては、凹陥部が断熱パネルの略全周にわたって設けられているため、断熱パネルのいずれの木端面を上向きとした場合でも凹陥部が断熱パネルの上端面に位置することになる。このため、作業時に断熱パネルの向きを考慮する必要がなく、作業効率が向上する。
【００２１】
請求項６の断熱ボード取付構造及び請求項７の断熱ボード取付工法においても、穿孔時の切り粉が断熱ボードの凹陥部に収容されるため、上下の断熱ボード同士の間に面段差が発生しないようになる。
【発明を実施するための最良の形態】
【００２２】
以下に、図面を参照して本発明の実施の形態について説明する。第１図は本発明の実施の形態に係る断熱パネルの斜視図、第２図は第１図の断熱パネルの取付構造及び取付工法を説明する断面図、第３図は第１図の断熱パネルの取付構造及び取付工法を説明する斜視図である。
【００２３】
断熱パネル１０は、裏面が発泡樹脂製の断熱ボード１１よりなり、前面が表面板１２よりなるものである。これら断熱ボード１１と表面板１２とは樹脂層１３を介して接着されている。なお、この表面板１２は、金属板、珪酸カルシウム板、構造用合板などよりなる。
【００２４】
この断熱ボード１１の裏面（即ち、表面板１２が設けられている面と反対側の面）とこの断熱ボード１１の上側の木端面との交叉部に、凹陥部１４が設けられている。この凹陥部１４は、この上側の木端面における断熱ボード１１の厚さ方向の途中から、断熱ボード１１の裏面に行くに従って下方に傾斜する形状となっている。
【００２５】
同様に、この断熱ボード１１の裏面と断熱ボード１１の下側の木端面との交叉部にも、凹陥部１４が設けられている。この凹陥部１４は、この下側の木端面における断熱ボード１１の厚さ方向の途中から、断熱ボード１１の裏面に行くに従って上方に傾斜する形状となっている。
【００２６】
これら凹陥部１４，１４の縦断面形状は直角三角形となっている。この凹陥部１４の鉛直方向の断面積は５０〜１２０ｍｍ２特に１００〜１２０ｍｍ２程度であることが好ましい。
【００２７】
次に、この断熱パネル１０の壁面への取付工法及びこの断熱パネル１０の壁面への取付構造を第２，３図を参照して説明する。
【００２８】
鉄筋コンクリート躯体（以下、ＲＣ躯体と記載する。）２０の外面に、モルタル等よりなる既存壁２１が設けられている。なお、本実施の形態では既存の建物の外壁に断熱パネル１０を別途取り付けるため、ＲＣ躯体２０に既存壁２１が設けられているが、建物の新築時に断熱パネル１０を取り付ける場合等のように、ＲＣ躯体２０に既存壁２１が設けられておらず、ＲＣ躯体２０に直に断熱パネル１０が取り付けられてもよい。
【００２９】
前記凹陥部１４が断熱パネル１０の上側となるようにして該断熱パネル１０の断熱ボード１１を既存壁２１の表面に当てる。そして、該断熱パネル１０から既存壁２１及びＲＣ躯体２０にわたってドリルビット８によって穿孔し、該断熱パネル１０に貫通孔１０ａを設けると共に既存壁２１及びＲＣ躯体２０にアンカー穴２０ａを設ける。
【００３０】
次に、該貫通孔１０ａを通して該アンカー穴２０ａにアンカー２２を打ち込み、このアンカー２２にアンカーボルト２３を螺じ込む。これにより、断熱パネル１０が壁面に取り付けられる。
【００３１】
その後、この断熱パネル１０の上側の木端面上に上段側の断熱パネル１０を当接させ、上記と同様にしてこの上段側の断熱パネル１０を壁面に取り付ける。
【００３２】
このようにして壁面に複数枚の断熱パネル１０を取り付けた後、これら断熱パネル１０の表面板１２の表面に弾性接着剤２６を塗布し、この弾性接着剤２６を介してタイル２５を断熱パネル１０に張り付ける。
【００３３】
本実施の形態に係る断熱パネル１０と、この断熱パネル１０を壁面に取り付ける取付構造及び取付工法にあっては、上段側の断熱パネル１０の背面（裏面）を既存壁２１の壁面に当て、ドリルビット８で穿孔する場合、第３図の通り、生じた切り粉Ｐは、穿孔されている断熱パネル１０における下向きの木端面に設けられた凹陥部１４及び該断熱パネル１０の下段の断熱パネル１０における上向きの木端面に設けられた凹陥部１４に収容される。このため、上段側の断熱パネル１０が切り粉Ｐによって前方に押されることがなく、上下の断熱パネル１０同士で面段差が発生しないようになる。
【００３４】
本実施の形態の断熱パネル１０にあっては、凹陥部１４が断熱パネル１０の上側及び下側の木端面に設けられているため、作業時に断熱パネル１０の上下方向の向きを考慮する必要がなく、作業効率が向上する。
【００３５】
本実施の形態では、凹陥部１４の断面積が５０〜１２０ｍｍ２であり、凹陥部１４の容積が適正であるため、上下の断熱パネル１０間の面段差が確実に防止されると共に、断熱特性の低下も実質的に生じない。
【００３６】
なお、凹陥部１４は、断熱パネル１０の裏面から該断熱パネル１０の厚みの６０％以内特に５０％以内の範囲に設けられることが望ましい。
【００３７】
この実施の形態では、断熱ボード１１の図の上下の両木端面にあっては、一端から他端にまで連続して凹陥部１４が設けられているが、該一端から他端のうち一部に凹陥部が設けられなくてもよい。例えば、切り粉Ｐが上から掛かるおそれのない箇所にあっては、凹陥部は設けられなくてもよい。
【００３８】
上記実施の形態では、断熱パネル１０の凹陥部１４を縦断面直角三角形状としたが、穿孔時の切り粉が収容可能であれば凹陥部は上記形状に限定されない。例えば、第４，５図の断熱パネル１０Ａのように、凹陥部１４Ａは縦断面形状が方形状となっていてもよい。
【００３９】
なお、第４図の断熱パネル１０Ａ及び第５図の断熱パネルの取付構造は、凹陥部１４Ａが縦断面方形状となっていること以外は第１図の断熱パネル１０及び第２図の断熱パネルの取付構造と同一であり、同一符号は同一部分を示している。
【００４０】
上記実施の形態では断熱パネル１０の上下方向位置を考慮することなく断熱パネル１０の取付作業ができるように、断熱パネル１０の上側の木端面及び下側の木端面に凹陥部１４，１４を設けたが、上側又は下側の木端面のみに凹陥部を設けてもよい。また、さらに左右側の木端面にも凹陥部を設けてもよい。この場合、断熱パネル１０が正方形状であるならば、断熱パネル１０の向きを考慮することなく断熱パネル１０の取付作業を行うことができる。
【００４１】
上記取付構造及び取付工法においては、第１図の断熱パネル１０を壁面に取り付けているが、表面板１２及び樹脂層１３を省略した断熱ボード１１のみを壁面に取り付ける構造及び工法としてもよい。この場合、断熱ボード１１には凹陥部１４，１４が第１図に図示の通り一方の面の角縁に設けられている。断熱ボード１１の該一方の面を壁面に当接し、第３図の如くドリルビット８で穿孔し、アンカーボルトで壁面に該断熱ボードを取り付ける。この場合も、切り粉Ｐは凹陥部１４に収容されるので、上下の断熱ボード１１，１１間に面段差が生じることが防止される。
【図面の簡単な説明】
【００４２】
【図１】本発明の実施の形態に係る断熱パネルの斜視図である。
【図２】図１の断熱パネルの取付構造及び取付工法を説明する断面図である。
【図３】図１の断熱パネルの取付構造及び取付工法を説明する斜視図である。
【図４】本発明の別の実施の形態に係る断熱パネルの斜視図である。
【図５】図４の断熱パネルの取付構造及び取付工法を説明する断面図である。
【図６】従来の断熱パネルの取付工法を示す断面図である。
【図７】従来の断熱パネルの取付工法を示す断面図である。
【符号の説明】
【００４３】
１０，１０Ａ  断熱パネル
１０ａ  貫通孔
１１  断熱ボード
１２  表面板
１３  樹脂層
１４，１４Ａ  凹陥部
２０  ＲＣ躯体
２０ａ  アンカー穴
２１  既存壁
２２  アンカー
２３  アンカーボルト
２５  タイル
２６  弾性接着剤
Ｐ  切り粉
【図１】
2006037463.tif 000003
【図２】
2006037463.tif 000004
【図３】
2006037463.tif 000005
【図４】
2006037463.tif 000006
【図５】
2006037463.tif 000007
【図６】
2006037463.tif 000008
【図７】
2006037463.tif 000009